(57)【要約】【課題】導光板の側面に湾曲面が設けられている場合でも、導光板から出射される照明光の強度ばらつきを緩和することのできる照明装置、表示装置および携帯用電子機器を提供すること。【解決手段】照明装置３０は、発光ダイオード４１からなる第１発光素子４０ａと、第１発光素子４０ａと対向する第１光入射部５５ａを側面５４に備えた導光板５０とを有している。導光板５０は、側面５４において第１光入射部５５ａから離間する位置に湾曲面５４０を備えた平面形状を有しており、湾曲面５４０の周方向の少なくとも一部の範囲には、第１光入射部５５ａの中心Ｃ１から延在してくる仮想線Ｌ０に対して、（９０°−臨界角）を超える一定の角度を成して第１光入射部５５ａに向いた複数の第１斜面５４１が設けられている。【選択図】図１
2016164830.tif 000002
【特許請求の範囲】
【請求項１】
第１発光素子と、
前記第１発光素子と対向する第１光入射部を側面に備え、厚さ方向の一方面から照明光を出射する導光板と、
を有し、
前記導光板は、前記側面において前記第１光入射部から離間する位置に湾曲面を備えた平面形状を有し、
前記平面形状において、前記湾曲面の周方向の少なくとも一部の範囲には、前記第１光入射部の中心から延在してくる仮想線に対して、（９０°−臨界角）を超える一定の角度を成して前記第１光入射部に向いた複数の第１斜面が設けられていることを特徴とする照明装置。
【請求項２】
請求項１に記載の照明装置において、
前記複数の第１斜面は各々、前記仮想線に対して９０°の角度を成していることを特徴とする照明装置。
【請求項３】
請求項１または２に記載の照明装置において、
前記平面形状において、前記複数の第１斜面のうち、周方向で隣り合う前記第１斜面の端部同士は、前記仮想線に対して平行な直線部分を介して接続されていることを特徴とする照明装置。
【請求項４】
請求項１乃至３の何れか一項に記載の照明装置において、
前記平面形状において、前記複数の第１斜面はいずれも、長さが等しいことを特徴とする照明装置。
【請求項５】
請求項１乃至４の何れか一項に記載の照明装置において、
第２発光素子を備え、
前記導光板は、前記側面において前記第１光入射部に対して離間する位置に、前記第２発光素子と対向する第２光入射部を備え、
前記平面形状において、前記湾曲面の周方向の少なくとも一部の範囲には、前記第２光入射部の中心から延在してくる仮想線に対して、（９０°−臨界角）を超える一定の角度を成して前記第２光入射部に向いた複数の第２斜面が設けられていることを特徴とする照明装置。
【請求項６】
請求項１乃至５の何れか一項に記載の照明装置において、
前記発光素子は、発光ダイオードであることを特徴とする照明装置。
【請求項７】
請求項１乃至６の何れか一項に記載の照明装置を備えた表示装置であって、
前記導光板の前記一方面に対向する表示パネルを有していることを特徴とする表示装置。
【請求項８】
請求項７に記載の表示装置において、
前記表示パネルは、反射型の表示パネルであることを特徴とする表示装置。
【請求項９】
請求項７または８に記載の表示装置を備えていることを特徴とする携帯用電子機器。
【発明の詳細な説明】
【技術分野】
【０００１】
本発明は、導光板および発光素子を備えた照明装置、表示装置および携帯用電子機器に関するものである。
【背景技術】
【０００２】
反射型の表示パネルを備えた表示装置では、透過光を利用できないため、いわゆるフロントライトと称せられる照明装置が用いられる。かかる照明装置では、導光板の側面から光を入射させ、導光板の厚さ方向の一方面から表示パネルに向けて照明光を出射する。ここで、携帯用電子機器に用いられる表示装置では、光源として発光ダイオード等の発光素子が用いられる。その際、省電力化等の観点から、少ない数の発光素子で表示パネルの画像表示領域を均一に照明する必要がある。
【先行技術文献】
【特許文献】
【０００３】
【特許文献１】特開２０１３−８８５０１号公報
【発明の概要】
【発明が解決しようとする課題】
【０００４】
しかしながら、図７に示すように、導光板５０が、側面５４において発光素子４０と対向する光入射部５５から離間する位置に湾曲面５４０を備えている場合、導光板５０から出射された照明光では、光入射部５５から離間する領域（二点鎖線で示す領域５０ａ）で出射される光の強度が、他の領域から出射される光の強度より極端に高いという問題点がある。かかる強度ばらつきは、画像の品位を低下させるため好ましくない。かかる問題の原因に関して検討した結果、本願発明者は、光入射部５５から導光板５０に入射した光の一部が、光線Ｌで示すように、湾曲面５４０に対して臨界角より大きな角度で入射し、領域５０ａに向けて全反射して集中するためであるという知見を得た。
【０００５】
以上の問題点に鑑みて、本発明の課題は、上記の知見に基づいて、導光板の側面に湾曲面が設けられている場合でも、導光板から出射される照明光の強度ばらつきを緩和することのできる照明装置、かかる照明装置を備えた表示装置、およびかかる表示装置を備えた携帯用電子機器を提供することにある。
【課題を解決するための手段】
【０００６】
上記課題を解決するために、本発明に係る照明装置の一態様は、第１発光素子と、前記第１発光素子と対向する第１光入射部を側面に備え、厚さ方向の一方面から照明光を出射する導光板と、を有し、前記導光板は、前記側面において前記第１光入射部から離間する位置に湾曲面を備えた平面形状を有し、前記平面形状において、前記湾曲面の周方向の少なくとも一部の範囲には、前記第１光入射部の中心から延在してくる仮想線に対して、（９０°−臨界角）を超える一定の角度を成して前記第１光入射部に向いた複数の第１斜面が設けられていることを特徴とする。
【０００７】
本発明において、導光板の平面形状とは、導光板の第１面に対して垂直な方向からみたときの形状を意味する。
【０００８】
本発明では、導光板の側面には湾曲面が設けられているが、湾曲面の周方向の少なくとも一部の範囲には、第１光入射部の中心から延在してくる仮想線に対して、（９０°−臨界角）を超える一定の角度を成して第１光入射部に向いた複数の第１斜面が設けられている。このため、第１光入射部の中心から第１斜面が設けられている範囲に向かって直線的に進行してきた光は、第１斜面で一部が透過する。また、残りの一部の光が第１斜面で反射しても、かかる光は導光板の内側の特定の領域に集中しにくい。特に、複数の第１斜面は、仮想線に対して一定の角度を成しているので、第１斜面で反射した光が進行する方向を把握しやすい。従って、第１斜面で反射した光が導光板の内側で交差することを回避しやすいので、第１斜面で反射した光が導光板の内側の特定の領域に集中することを確実に抑制することができる。それ故、導光板の一方面から出射される照明光では、特定の領域から出射される光の強度が極端に高いという事態を回避することができるので、照明光の強度ばらつきを緩和することができる。
【０００９】
本発明において、前記複数の第１斜面は各々、前記仮想線に対して直角であることが好ましい。すなわち、前記複数の第１斜面は各々、前記仮想線に対して９０°の角度を成していることが好ましい。かかる構成によれば、第１光入射部のいずれの個所から第１斜面が設けられている範囲に向かって光が直線的に進行してきても、かかる光は、第１斜面で一部が確実に透過する。また、第１斜面で反射した光は、第１光入射部に向けて進行するので、導光板の内側の特定の領域に集中することを確実に抑制することができる。従って、導光板の一方面から出射される照明光では、特定の領域から出射される光の強度が極端に高いという事態を確実に回避することができるので、照明光の強度ばらつきを確実に緩和することができる。
【００１０】
本発明において、前記平面形状において、前記複数の第１斜面のうち、周方向で隣り合う前記第１斜面の端部同士は、前記仮想線に対して平行な直線部分を介して接続されていることが好ましい。かかる構成によれば、第１斜面の設計が容易である。また、第１光入射部から第１斜面の間に向かって光が直線的に進行してきても、かかる光が第１斜面の間で反射しにくい。
【００１１】
本発明において、前記平面形状において、前記複数の第１斜面はいずれも、長さが等しいことが好ましい。かかる構成によれば、第１斜面の設計が容易である。
【００１２】
本発明において、第２発光素子を備え、前記導光板は、前記側面において前記第１光入射部に対して離間する位置に、前記第２発光素子と対向する第２光入射部を備え、前記平面形状において、前記湾曲面の周方向の少なくとも一部の範囲には、前記第２光入射部の中心から延在してくる仮想線に対して、（９０°−臨界角）を超える一定の角度を成して前記第２光入射部に向いた複数の第２斜面が設けられている構成を採用することができる。かかる構成によれば、第２光入射部から入射した光についても、導光板の特定の領域に集中しにくい。従って、導光板の一方面から出射される照明光では、特定の領域から出射される光の強度が極端に高いという事態を回避することができる。それ故、照明光の強度ばらつきを緩和することができる。
【００１３】
本発明において、前記発光素子は、発光ダイオードであることが好ましい。
【００１４】
本発明を適用した照明装置を備えた表示装置は、前記導光板の前記一方面に対向する表示パネルを有していることを特徴とする。
【００１５】
この場合、前記表示パネルが反射型の表示パネルである態様を採用することができる。
【００１６】
本発明を適用した表示装置は、携帯用電子機器等、各種電子機器に用いることができる。
【図面の簡単な説明】
【００１７】
【図１】本発明の実施の形態１に係る表示装置の一態様を示す説明図である。
【図２】本発明の実施の形態１に係る照明装置および表示装置に用いた導光板の平面形状を示す説明図である。
【図３】本発明の実施の形態１に係る照明装置から出射される照明光の強度分布を示す説明図である。
【図４】本発明の比較例に係る照明装置に用いた導光板の説明図である。
【図５】本発明の実施の形態２に係る照明装置および表示装置に用いた導光板の説明図である。
【図６】本発明を適用した表示装置を備えた携帯用電子機器の説明図である。
【図７】本発明の参考例に係る導光板の説明図である。
【発明を実施するための形態】
【００１８】
図面を参照して、本発明の実施の形態を説明する。なお、以下の説明で参照する図においては、各層や各部材を図面上で認識可能な程度の大きさとするため、各層や各部材毎に縮尺を異ならしめてある。なお、以下の説明において、導光板５０の平面形状とは、導光板５０の第１面５１に対して直角な方向からみたときの形状を意味する。
【００１９】
［実施の形態１］
（表示装置の構成）
図１は、本発明の実施の形態１に係る表示装置の一態様を示す説明図であり、図１（ａ）、（ｂ）は各々、表示装置の平面図、および表示装置のＨ−Ｈ′断面図である。
【００２０】
図１に示す表示装置１は、表示パネル１０と、表示パネル１０に対向配置された導光板５０を備えた照明装置３０とを有している。
【００２１】
本形態において、表示パネル１０は、電気泳動パネル、反射型液晶パネル、ＭＥＭＳ素子、光干渉素子等の反射型の表示パネルであり、第１基板１１と、第１基板１１と対向配置された透光性の第２基板１２と、第１基板１１と第２基板１２との間に設けられた表示層１３とを有している。第１基板１１において第２基板１２と対向する面、および第２基板１２において第１基板１１と対向する面には、表示層１３を駆動する電極（図示せず）が形成されている。
【００２２】
かかる反射型の表示パネル１０では、図１（ｂ）に矢印Ｐで示すように、第２基板１２の側から入射した照明光が表示層１３や第１基板１１の側で反射して第２基板１２の側から出射される間に表示層１３によって光変調され、画像を表示する。本形態において、表示パネル１０は、電気泳動パネルである。
【００２３】
（照明装置３０の構成）
照明装置３０は、いわゆるフロントライトとして構成されており、発光素子４０と、発光素子４０と対向する光入射部５５を側面５４に備えた透光性の導光板５０とを有している。本形態において、導光板５０は、表示パネル１０の第２基板１２に透光性の接着剤層２０によって接着されている。導光板５０は、屈折率が１．５〜１．６の透光性樹脂からなり、本形態において、導光板５０は、ポリカーボネート（屈折率＝１．５９）の樹脂成形品からなる。
【００２４】
かかる照明装置３０において、発光素子４０から出射された光は、導光板５０の光入射部５５から導光板５０の内部に入射した後、導光板５０の厚さ方向で対向する第１面５１および第２面５２との間で反射を繰り返しながら導光板５０内を進行し、第１面５１および第２面５２のうち、表示パネル１０側に位置する第１面５１（厚さ方向の一方面）から照明光を表示パネル１０に出射する。そして、照明光は、表示パネル１０によって光変調された後、導光板５０の第１面５１から導光板５０内に入射し、第２面５２から出射して画像を表示する。本形態において、導光板５０の第１面５１および第２面５２の少なくとも一方には、凸部や凹部からなる光散乱部５９が所定の分布をもって形成されている。本形態において、光散乱部５９は、例えば、ピッチが０．２ｍｍ、半径が６０μｍ、高さが１０μｍの半球状の複数の凸部からなり、導光板５０の第２面５２に設けられている。なお、図１（ｂ）では、光散乱部５９が形成されている範囲のみを示し、光散乱部５９を構成する凸部の図示を省略してある。
【００２５】
本形態において、導光板５０は、略円形の平面形状を有しており、周方向の一部が径方向の外側に突出した突出部５３になっている。このため、導光板５０は、突出部５３を除く周方向の略全体が、径方向の外側に張り出した湾曲面５４０になっている。本形態において、導光板５０は、厚さが０．４ｍｍで、直径が３２ｍｍである。
【００２６】
本形態において、突出部５３の先端部５３０は直線状であり、導光板５０の側面５４のうち、突出部５３の先端部５３０に光入射部５５が設けられている。本形態において、光入射部５５は、突出部５３の先端部５３０において隣り合う位置に第１光入射部５５ａ、および第２光入射部５５ｂとして形成されている。従って、発光素子４０は、第１光入射部５５ａに対向する第１発光素子４０ａ、および第２光入射部５５ｂに対向する第２発光素子４０ｂとして設けられている。また、発光素子４０と光入射部５５とが対向する方向に対して直交する幅方向では、導光板５０の最大幅寸法は、光入射部５５が設けられている範囲の幅寸法よりかなり大である。
【００２７】
表示パネル１０は、導光板５０と同様、略円形の平面形状を有しており、導光板５０の突出部５３と重なる突出部１５を有している。但し、表示パネル１０の平面形状については、略円形に限らず、矩形であってもよい。いずれの場合も、表示パネル１０と導光板５０とが重なる領域の一部が画像表示領域１ａとして利用される。本形態において、画像表示領域１ａは、導光板５０よりわずかに外径が小さい円形領域として構成されている。
【００２８】
本形態において、発光素子４０は、例えば、白色光を出射する発光ダイオード４１であり、かかる発光ダイオード４１では、青色光で黄色の蛍光体を励起して白色光を生成する。従って、発光素子４０は、実質的には、略楕円の面光源として機能する。発光素子４０は、短軸を導光板５０の厚さ方向に向け、長軸を導光板５０において側面５４（光入射部５５）の延在方向に向けるように配置される。
【００２９】
（導光板５０の湾曲面５４０の詳細構成）
図２は、本発明の実施の形態１に係る照明装置３０および表示装置１に用いた導光板５０の平面形状を示す説明図であり、図２（ａ）、（ｂ）、（ｃ）は各々、第１光入射部５５ａから湾曲面５４０の一部の範囲に向けて直線的に延在する仮想線Ｌ０の説明図、湾曲面５４０の一部の範囲に設けられた第１斜面５４１を拡大して示す説明図、および第１斜面５４１をさらに拡大して示す説明図である。
【００３０】
図１および図２に示すように、本形態の照明装置３０の導光板５０には、湾曲面５４０の周方向の少なくとも一部の範囲に、第１光入射部５５ａの中心Ｃ１に向いた複数の第１斜面５４１が連続して形成されている。本形態において、導光板５０の湾曲面５４０のうち、幅方向において第１光入射部５５ａが位置する範囲に第１斜面５４１が形成されている。また、導光板５０には、湾曲面５４０の周方向の少なくとも一部の範囲に、第２光入射部５５ｂの中心Ｃ２に向いた複数の第２斜面５４２が連続して形成されている。本形態において、導光板５０の湾曲面５４０のうち、幅方向において第２光入射部５５ｂが位置する側に第２斜面５４２が形成されている。
【００３１】
本形態において、複数の第１斜面５４１が形成されている範囲は、図７に示す導光板５０の平面形状において、第１光入射部５５ａから導光板５０に入射した光の一部が、湾曲面５４０に対して臨界角より大きな角度で入射して全反射する範囲である。
【００３２】
かかる範囲を設定するにあたっては、まず、図７に示すように、湾曲面５４０を構成する真円上に第１光入射部５５ａの中心Ｃ１が位置すると仮定する。そして、第１光入射部５５ａの中心Ｃ１から湾曲面５４０に入射する光の臨界角をθｃとしたとき、第１光入射部５５ａの中心Ｃ１と湾曲面５４０の円弧中心Ｏとを結ぶ補助線Ｌ８と、湾曲面５４０上の位置と円弧中心Ｏとを結ぶ補助線Ｌ９とが成す角度θｓが、（１８０°−２×臨界角θｃ）未満となる角度範囲を全反射範囲とする。かかる全反射範囲では、第１光入射部５５ａから進行してきた光が湾曲面５４０に到達した際、湾曲面５４０で全反射が発生する範囲である。
【００３３】
従って、本形態では、上記の補助線Ｌ８、Ｌ９が成す角度θｓが、（１８０°−２×臨界角θｃ）未満となる全反射範囲（角度範囲）に、図１に示す第１斜面５４１が形成されている。例えば、本形態では、導光板５０を構成するポリカーボネートの屈折率が１．５９であることから、臨界角θｃは３９°である。従って、本形態では、上記の補助線Ｌ８、Ｌ９が成す角度θｓが、（１８０°−２×３９°）未満となる１０２°の角度範囲にわたって複数の第１斜面５４１が形成されている。
【００３４】
また、導光板５０の平面形状において、図１および図２に示す複数の第１斜面５４１はいずれも、第１光入射部５５ａの中心Ｃ１から延在してくる仮想線Ｌ０に対して、（９０°−臨界角θｃ）を超える一定の角度を成して中心Ｃ１に向いている。本形態において、臨界角θｃは３９°であるから、複数の第１斜面５４１はいずれも、第１光入射部５５ａの中心Ｃ１から延在してくる仮想線Ｌ０に対して、５１°を超える一定の角度を成して中心Ｃ１に向いている。従って、複数の第１斜面５４１のいずれにおいても、第１光入射部５５ａの中心Ｃ１から直線的に進行している光が全反射することはない。
【００３５】
図２（ｂ）に示すように、本形態において、複数の第１斜面５４１はいずれも、第１光入射部５５ａの中心Ｃ１から延在してくる仮想線Ｌ０に対して、９０°の角度を成して中心Ｃ１に向いている。従って、複数の第１斜面５４１のいずれにおいても、第１光入射部５５ａの中心Ｃ１から直線的に進行している光だけでなく、第１光入射部５５ａのいずれの個所から直線的に進行している光も全反射することはない。
【００３６】
本形態では、複数の第１斜面５４１はいずれも、長さが等しく、本形態において、複数の第１斜面５４１はいずれも、例えば所定寸法である。また、複数の第１斜面５４１のうち、周方向で隣り合う第１斜面５４１の端部同士は、仮想線Ｌ０に対して平行な直線部分５４６を介して接続されている。
【００３７】
かかる第１斜面５４１を設定するには、まず、図２（ｃ）に示すように、仮想線Ｌ０ａに対して９０°の角度を成す長さ所定寸法の第１斜面５４１ａを設定する。その際、第１斜面５４１ａの周方向の一方側ＣＷの端部を仮想線Ｌ０ａ上に設定する。次に、第１斜面５４１ａの周方向の他方側ＣＣＷの端部を通る仮想線Ｌ０ｂに沿って直線部分５４６ａを設ける。次に、直線部分５４６ａの先端部を起点にして、仮想線Ｌ０ｂに対して９０°の角度を成す長さ所定寸法の第１斜面５４１ｂを設定する。次に、第１斜面５４１ｂの周方向の他方側ＣＣＷの端部を通る仮想線Ｌ０ｃに沿って直線部分５４６ｂを設ける。次に、直線部分５４６ｂの先端部を起点にして、仮想線Ｌ０ｃに対して９０°の角度を成す長さ所定寸法の第１斜面５４１ｃを設定する。かかる操作を繰り返せば、湾曲面５４０に対して複数の第１斜面５４１を連続して形成することができる。その際、第１斜面５４１および直線部分５４６が、湾曲面５４０の外線円から、例えば、０．５ｍｍの範囲に位置するように、第１斜面５４１の長さおよび直線部分５４６の長さを設定する。ここで、導光板５０は樹脂成形品であるため、上記の設定は、導光板５０を成形する際に用いる金型設計の際に行われる。
【００３８】
また、図１に示す第２斜面５４２が形成されている範囲は、第１斜面５４１が形成されている範囲と同様、第２光入射部５５ｂから導光板５０に入射した光の一部が、湾曲面５４０に対して臨界角より大きな角度で入射して特定の領域に向けて全反射する範囲である。かかる複数の第２斜面５４２は各々、第１斜面５４１と同様な構成を有しているため、詳細な説明を省略するが、第２光入射部５５ｂの中心Ｃ２から延在してくる仮想線に対して、（９０°−臨界角）を超える一定の角度を成して第２光入射部５５ｂに向いている。また、複数の第２斜面５４２は各々、第２光入射部５５ｂの中心Ｃ２から延在してくる仮想線に対して９０°の角度を成している。また、複数の第２斜面５４２のうち、周方向で隣り合う第２斜面５４２の端部同士は、仮想線Ｌ０に対して平行な直線部分５４７を介して接続されている。
【００３９】
（本形態の主な効果）
以上説明したように、本形態の照明装置３０および表示装置１では、導光板５０の側面５４には湾曲面５４０が設けられているが、湾曲面５４０の周方向の少なくとも一部の範囲には、第１光入射部５５ａの中心Ｃ１から延在してくる仮想線Ｌ０に対して、（９０°−臨界角）を超える一定の角度を成して中心Ｃ１に向いた複数の第１斜面５４１が設けられている。このため、第１光入射部５５ａの中心Ｃ１から第１斜面５４１が設けられている範囲に向かって光が直線的に進行してきても、かかる光は、第１斜面５４１で一部が透過する。また、残りの一部の光が第１斜面５４１で反射しても、かかる光は、導光板５０の特定の領域に集中しにくい。
【００４０】
特に、複数の第１斜面５４１は各々が、仮想線Ｌ０に対して一定の角度を成しているので、第１斜面５４１で反射した光が進行する方向を把握しやすい。従って、第１斜面５４１で反射した光が導光板５０の内側で交差することを回避するのが容易である。このため、第１斜面５４１で反射した光が導光板５０の内側の特定の領域に集中することを確実に抑制することができる。また、複数の第１斜面５４１は、仮想線Ｌ０に対して一定の角度を成しているので、第１斜面５４１毎に、周方向の位置に応じて仮想線Ｌ０に対して成す角度を設定しなくても、全反射を防止することができるという利点がある。特に本形態において、複数の第１斜面５４１は各々、仮想線Ｌ０に対して９０°の角度を成している。このため、第１光入射部５５ａのいずれの個所から第１斜面５４１が設けられている範囲に向かって光が直線的に進行してきても、かかる光は、一部が確実に透過する。また、複数の第１斜面５４１は各々、仮想線Ｌ０に対して９０°の角度を成しているため、第１斜面５４１で反射した光は、第１光入射部５５ａに向けて進行する。それ故、第１斜面５４１で反射した光が導光板５０の内側の特定の領域に集中することを確実に抑制することができる。
【００４１】
さらに、導光板５０の湾曲面５４０には、第１斜面５４１と同様な第２斜面５４２が設けられている。
【００４２】
それ故、図３を参照して後述するように、導光板５０の第１面５１（一方面）から出射される照明光では、特定の領域から出射される光の強度が極端に高いという事態を回避することができるので、照明光の強度ばらつきを緩和することができる。
【００４３】
また、複数の第１斜面５４１はいずれも、長さが等しいため、第１斜面５４１の設計が容易である。また、複数の第１斜面５４１のうち、周方向で隣り合う第１斜面５４１の端部同士は、仮想線Ｌ０に対して平行な直線部分５４６を介して接続されている。このため、第１斜面５４１の設計が容易である。また、第１光入射部５５１から第１斜面５４１の間に向かって光が直線的に進行してきても、かかる光が第１斜面５４１の間で反射しにくい。
【００４４】
（照明光の強度分布）
図３は、本発明の実施の形態１に係る照明装置３０から出射される照明光の強度分布を示す説明図であり、強度分布のシミュレーション結果に基づいて、強度が相対的に高い領域を、斜線を付した領域として模式的に示してある。なお、図３（ａ）、（ｂ）は各々、導光板５０に光散乱部５９を設けない場合の強度分布、および導光板５０に光散乱部５９を最適に設けた場合の強度分布である。
【００４５】
図３（ａ）に示すように、本発明の実施の形態１に係る照明装置３０から出射される照明光では、光散乱部５９を設けなくても、強度が相対的にわずかに高い領域Ｐ１（斜線を付した領域）が部分的に発生するだけである。このため、図３（ｂ）に示すように、図１（ｂ）に示す光散乱部５９を適正に配置すれば、強度が相対的に高い領域が発生せず、強度ばらつきを効果的に緩和することができる。
【００４６】
［比較例］
図４は、本発明の比較例に係る照明装置に用いた導光板５０の説明図であり、図４（ａ）、（ｂ）、（ｃ）は各々、導光板５０の平面形状を示す説明図、導光板５０に光散乱部５９を設けない場合の強度分布、および導光板５０に光散乱部５９を最適に設けた場合の強度分布である。なお、図４（ｂ）、（ｃ）では、強度分布のシミュレーション結果に基づいて、強度が相対的に高い領域を、斜線を付した領域として模式的に示してある。なお、本例の基本的な構成は、実施の形態１と同様であるため、共通する部分には同一の符号を付してそれらの説明を省略する。
【００４７】
図４（ａ）に示す導光板５０には、湾曲面５４０に沿って複数の斜面５４５が形成されているが、かかる斜面５４５は、湾曲面５４０に対する接線に対して同一の角度を成している。このため、斜面５４５が成す複数の三角形の頂部の角度は同一であり、例えば、５８．６°である。かかる構成の場合、複数の斜面５４５において、第１光入射部５５ａの中心Ｃ１から直線的に延在している仮想線Ｌ０に対して成す角度が相違している。このため、複数の斜面５４５には、仮想線Ｌ０に対して、（９０°−臨界角）以下の角度を成す斜面５４５が多数、含まれており、かかる斜面５４５では全反射が発生する。
【００４８】
従って、図４（ｂ）に示すように、光散乱部５９を設けない場合、強度が相対的に高い領域Ｐ２（斜線を付した領域）が発生する。このため、図４（ｂ）に示すように、図１（ｂ）に示す光散乱部５９を適正に配置しても、強度が相対的に高い領域Ｐ３が発生し、強度ばらつきを効果的に緩和することが困難である。
【００４９】
［実施の形態２］
図５は、本発明の実施の形態２に係る照明装置３０および表示装置１に用いた導光板５０の説明図であり、図５（ａ）、（ｂ）、（ｃ）は各々、導光板５０の平面形状を示す説明図、導光板５０に光散乱部５９を設けない場合の強度分布、および導光板５０に光散乱部５９を最適に設けた場合の強度分布である。なお、図５（ｂ）、（ｃ）では、強度分布のシミュレーション結果に基づいて、強度が相対的に高い領域を、斜線を付した領域として模式的に示してある。なお、本形態の基本的な構成は、実施の形態１と同様であるため、共通する部分には同一の符号を付してそれらの説明を省略する。
【００５０】
図５（ａ）に示す導光板５０では、実施の形態１で説明した発光素子４０が１つだけ設けられているため、導光板５０では、１つの光入射部５５が設けられている。ここで、発光素子４０は、実施の形態１の第１発光素子４０ａに対応し、光入射部５５は、実施の形態１の第１光入射部５５ａに対応する。
【００５１】
このような構成の導光板５０においても、実施の形態１と同様、湾曲面５４０の周方向の少なくとも一部の範囲に、第１光入射部５５ａの中心Ｃ１に向いた複数の第１斜面５４１が連続して形成されている。本形態において、導光板５０の湾曲面５４０のうち、第１光入射部５５ａに対して幅方向の両側に第１斜面５４１が形成されており、いずれの側に配置された第１斜面５４１も、実施の形態１で説明したように、第１光入射部５５ａの中心Ｃ１から延在してくる仮想線Ｌ０に対して、（９０°−臨界角）を超える一定の角度を成して第１光入射部５５ａに向いている。本形態でも、実施の形態１と同様、複数の第１斜面５４１はいずれも、第１光入射部５５ａの中心Ｃ１から延在してくる仮想線Ｌ０に対して、９０°の角度を成して第１光入射部５５ａに向いている。このため、本形態でも、実施の形態１と同様、導光板５０から出射される照明光では、特定の領域から出射される光の強度が極端に高いという事態を回避することができるので、照明光の強度ばらつきを緩和することができる。
【００５２】
例えば、図５（ｂ）に示すように、本形態の照明装置３０から出射される照明光では、光散乱部５９を設けなくても、強度が相対的にわずかに高い領域Ｐ４（斜線を付した領域）が部分的に発生するだけである。このため、図５（ｃ）に示すように、図１（ｂ）に示す光散乱部５９を適正に配置すれば、強度が相対的に高い領域が発生せず、強度ばらつきを効果的に緩和することができる。
【００５３】
［他の実施の形態］
上記実施の形態では、複数の第１傾斜面５４１の長さが互いに等しくなるように構成されていたが、複数の第１傾斜面５４１の各長さが相違している態様を採用してもよい。また、上記実施の形態では、隣り合う仮想線Ｌ０同士がなす角度が相違している構成であったが、隣り合う仮想線Ｌ０同士が成す角度が等しくてもよい。この場合、第１傾斜面５４１と光源Ｃ１との間の距離が短いほど、第１傾斜面５４１の長さが短くなる。本形態では、導光板５０が略円形の平面形状であったが、導光板５０が楕円形や長円形の導光板５０を用いた場合に本発明を適用してもよい。さらには、全体として矩形形状を有しているが、周方向の一部に湾曲面を備えた導光板５０を用いた場合に本発明を適用してもよい。また、本形態では、表示パネル１０が反射型の表示パネルであったため、照明装置３０をフロントライトとして用いたが、表示パネル１０として透過型の表示パネルを用い、照明装置３０をバックライトとして用いてもよい。さらに、本発明の照明装置３０は、写真等を収納して展示するフォトフレーム、広告等を表示する看板、自動車等に用いられる計器等に用いてもよい。
【００５４】
（携帯用電子機器の構成例）
図６は、本発明を適用した表示装置１を備えた携帯用電子機器１００の説明図である。図６に示す携帯用電子機器１００は、腕装着型の電子機器であり、本体部１２０と、バンド部１３０とを備えており、本体部１２０には、時計機能に加えて、衛星測位システムの一種であるＧＰＳ（ＧｌｏｂａｌＰｏｓｉｔｉｏｎｉｎｇ Ｓｙｓｔｅｍ）機能等を内蔵している。本体部１２０の中央には、表示部１４０が構成されており、かかる表示部１４０には、図１等を参照して説明した表示装置１が用いられており、現在の日時や位置情報等が表示される。
【００５５】
なお、本発明を適用した表示装置１は、図６に示す携帯用電子機器１００の他にも、携帯電話機、情報携帯端末（ＰＤＡ：Ｐｅｒｓｏｎａｌ  Ｄｉｇｉｔａｌ  Ａｓｓｉｓｔａｎｔｓ）、カメラのファインダー、電子ペーパー等の表示装置として用いてもよい。
【符号の説明】
【００５６】
１・・表示装置、１０・・表示パネル、１１・・第１基板、１２・・第２基板、１３・・表示層、１ａ・・画像表示領域、２０・・接着剤層、３０・・照明装置、４０・・発光素子、４０ａ・・第１発光素子、４０ｂ・・第２発光素子、４１・・発光ダイオード、５０・・導光板、５１・・第１面、５２・・第２面、５３・・突出部、５４・・側面、５５・・光入射部、５５ａ・・第１光入射部、５５ｂ・・第２光入射部、５９・・光散乱部、１００・・携帯用電子機器、５４０・・湾曲面、５４１、５４１ａ〜５４１ｃ・・第１斜面、５４２・・第２斜面、５４６、５４６ａ〜５４６ｂ・・直線部分、Ｃ１・・第１光入射部の中心、Ｃ２・・第２光入射部の中心、Ｌ０、Ｌ０ａ〜Ｌ０ｃ・・仮想線
【図１】
2016164830.tif 000003
【図２】
2016164830.tif 000004
【図３】
2016164830.tif 000005
【図４】
2016164830.tif 000006
【図５】
2016164830.tif 000007
【図６】
2016164830.tif 000008
【図７】
2016164830.tif 000009